(57)【要約】【課題】無線タグの読み取りを行わせるだけで、所定の動作機器に対し所定の動作を行わせる。【解決手段】複合機１の処理に係わる処理データと処理データの格納先情報とを記憶した無線タグＴに対し、情報を読み取るための無線タグ通信装置２と、無線タグ通信装置２に接続された複合機１と、複合機１に接続されたサーバ３とを有する情報処理システムＲＳであって、無線タグ通信装置２は、取得した情報を複合機１へ転送する外部機器インターフェース２０３とを備え、複合機１は、無線タグ通信装置２から転送された情報を入力し、入力した情報より、処理データ及び格納先情報を抽出して解析し、解析結果に基づき、処理データを、格納先情報の表すサーバ３の格納アドレスへ出力する。【選択図】図６
2010134503.tif 000002
【特許請求の範囲】
【請求項１】
情報を記憶するＩＣ回路部と情報の送受信を行うタグアンテナとが設けられた無線タグ回路素子を備え、所定の動作機器の処理に係わる処理データと前記処理データの格納先情報とを前記ＩＣ回路部に記憶した無線タグに対し、情報読み取りを行うための読み取り装置と、
前記読み取り装置に接続された印刷装置と、
前記印刷装置に接続されたサーバと
を有する情報処理システムであって、
前記読み取り装置は、
前記無線タグ回路素子と無線通信を介し情報送受信を行うための装置アンテナと、
前記装置アンテナを介し、前記無線タグ回路素子の前記ＩＣ回路部に記憶された情報を取得する情報取得手段と、
前記情報取得手段で取得した情報を、前記印刷装置へ転送する情報転送手段と
を備え、
前記印刷装置は、
前記読み取り装置の前記情報転送手段から転送された情報を入力する情報入力手段と、
前記情報入力手段で入力した情報より、前記処理データ及び前記格納先情報を抽出して解析する情報解析手段と、
前記情報解析手段での解析結果に基づき、前記処理データを、前記格納先情報の表す前記サーバの格納アドレスへ出力し格納する情報格納手段と
を備える
ことを特徴とする情報処理システム。
【請求項２】
請求項１記載の情報処理システムにおいて、
前記サーバは、
前記格納アドレスに格納された前記処理データに基づき、対応する前記動作機器に対し当該処理データに対応した動作を行うように動作指示信号を出力する指示信号出力手段を有する
ことを特徴とする情報処理システム。
【請求項３】
請求項２記載の情報処理システムにおいて、
前記サーバの前記指示信号出力手段は、
前記動作指示信号として、前記動作機器としての前記印刷装置に対し、前記処理データにより指定される所定の印刷データを取得し対応する印刷を行わせる印刷指示信号を出力する
ことを特徴とする情報処理システム。
【請求項４】
請求項３記載の情報処理システムにおいて、
前記サーバの前記指示信号出力手段は、
前記印刷装置が印刷すべき印刷部数を含む前記印刷指示信号を出力する
ことを特徴とする情報処理システム。
【請求項５】
請求項２記載の情報処理システムにおいて、
前記サーバの前記指示信号出力手段は、
前記動作指示信号として、前記動作機器としての前記印刷装置に対し、前記処理データにより指定される所定の印刷テンプレートデータの取得を行わせるテンプレート取得指示信号を出力する
ことを特徴とする情報処理システム。
【請求項６】
請求項２記載の情報処理システムにおいて、
前記印刷装置は、
処理対象となる紙文書を光学的に読み取り、対応するイメージデータを生成する光学読み取り手段を備えており、
前記サーバの前記指示信号出力手段は、
前記動作指示信号として、前記動作機器としての前記印刷装置に対し、前記光学読み取り手段で所定の文書に対する前記読み取りを行わせるスキャン指示信号を出力する
ことを特徴とする情報処理システム。
【請求項７】
請求項２記載の情報処理システムにおいて、
前記印刷装置は、
処理対象となる紙文書を光学的に読み取り、対応する電送データを送信するＦＡＸ処理手段を備えており、
前記サーバの前記指示信号出力手段は、
前記動作指示信号として、前記動作機器としての前記印刷装置に対し、前記ＦＡＸ処理手段で所定の文書に対する前記読み取り及び前記電送データの送信を行わせる、ＦＡＸ指示信号を出力する
ことを特徴とする情報処理システム。
【請求項８】
請求項７記載の情報処理システムにおいて、
前記サーバの前記指示信号出力手段は、
前記印刷装置の前記ＦＡＸ処理手段が送信すべき送信先情報を含む前記ＦＡＸ指示信号を出力する
ことを特徴とする情報処理システム。
【請求項９】
請求項７又は請求項８記載の情報処理システムにおいて、
前記印刷装置は、
前記ＦＡＸ処理手段による電送データの送信先又は通話対象となる電話番号を記憶可能な番号記憶手段を備えており、
前記サーバの前記指示信号出力手段は、
前記動作指示信号として、前記動作機器としての前記印刷装置に対し、前記処理データにより指定される所定の電話番号データを取得し、前記番号記憶手段に格納する記憶指示信号を出力する
ことを特徴とする情報処理システム。
【請求項１０】
請求項２記載の情報処理システムにおいて、
前記サーバの前記指示信号出力手段は、
前記動作指示信号として、前記動作機器としての前記印刷装置に対し、前記処理データにより指定される、当該印刷装置に係わる最新のファームウェアデータを取得して更新する更新指示信号を出力する
ことを特徴とする情報処理システム。
【発明の詳細な説明】
【技術分野】
【０００１】
本発明は、外部と情報送受信可能な無線タグと通信を行う無線タグ通信装置と、サーバとを有する情報処理システムに関する。
【背景技術】
【０００２】
情報を記憶する無線タグ回路素子に対し非接触で情報の送受信を行うＲＦＩＤ（Ｒａｄｉｏ  Ｆｒｅｑｕｅｎｃｙ  Ｉｄｅｎｔｉｆｉｃａｔｉｏｎ）システムが知られている。このＲＦＩＤシステムを利用した情報処理システムの例として、例えば特許文献１記載のシステムが知られている。
【０００３】
この従来技術では、ＰＣ（操作端末）のデータベースに記憶させている印刷データ（処理データ）をプリンタ（印刷装置）で印刷する際に、同時に、タグラベル作成装置で、上記データベースにおける当該印刷データの格納場所に関する格納先情報を無線タグ回路素子に記憶させた無線タグラベルを作成する。そして、作成された無線タグラベルを、印刷装置により印刷された当該印刷物に貼付する。その後、操作者が、その印刷物の無線タグラベルに対して別途用意したリーダ（読み取り装置）で読み取りを行い、無線タグ回路素子に記憶させている上記印刷データの格納先情報を取得する。このとき、読み取り装置は、上記操作端末に直接接続されているか、あるいはネットワークを介してＰＣに接続されており、上記取得した格納先情報に基づきデータベースにアクセスして当該印刷物の印刷内容（つまり印刷データ）を取得する。そして、操作端末において、当該印刷物の印刷データを対応するアプリケーション上で電子データとして開くようになっている。
【特許文献１】特開２００８−４９６８３号公報
【発明の開示】
【発明が解決しようとする課題】
【０００４】
上記従来技術においては、無線タグラベルの無線タグ回路素子の記憶情報を用いて、処理データ（印刷データ）を取得しファイルを開く、等のデータ処理を行うことはできるものの、動作機器（印刷装置）そのものを操作し所定の動作（印刷）を行わせることはできない。また特に、近年では、印刷装置が、デジカメモードや高画質モード等の高機能を備えたものであったり、あるいはコピー機能、スキャナ機能、あるいはＦＡＸ機能なども兼ね備えたいわゆる複合機の場合もある。このような場合、その制御の複雑さから、所定の動作を実行させるためには、操作端末を介した煩雑な操作が必須となる場合も多い。
【０００５】
以上のように、従来は、動作機器に対し所定の動作を行わせるために操作端末での煩雑な操作が必要であり、操作者の操作労力負担が増大し、利便性の高いシステムとは言えなかった。また、操作端末と印刷装置との接続とは別に、読み取り装置を操作端末に直接あるいはネットワークを介して接続する必要があり、システム構成が複雑化するという問題もあった。
【０００６】
本発明の目的は、操作端末等を用いた煩雑な操作等を行うことなく動作機器に対し所定の動作を行わせ、操作者の労力負担を低減できるとともに、システム構成を簡素化できる、情報処理システムを提供することにある。
【課題を解決するための手段】
【０００７】
上記目的を達成するために、第１の発明は、情報を記憶するＩＣ回路部と情報の送受信を行うタグアンテナとが設けられた無線タグ回路素子を備え、所定の動作機器の処理に係わる処理データと前記処理データの格納先情報とを前記ＩＣ回路部に記憶した無線タグに対し、情報読み取りを行うための読み取り装置と、前記読み取り装置に接続された印刷装置と、前記印刷装置に接続されたサーバとを有する情報処理システムであって、前記読み取り装置は、前記無線タグ回路素子と無線通信を介し情報送受信を行うための装置アンテナと、前記装置アンテナを介し、前記無線タグ回路素子の前記ＩＣ回路部に記憶された情報を取得する情報取得手段と、前記情報取得手段で取得した情報を、前記印刷装置へ転送する情報転送手段とを備え、前記印刷装置は、前記読み取り装置の前記情報転送手段から転送された情報を入力する情報入力手段と、前記情報入力手段で入力した情報より、前記処理データ及び前記格納先情報を抽出して解析する情報解析手段と、前記情報解析手段での解析結果に基づき、前記処理データを、前記格納先情報の表す前記サーバの格納アドレスへ出力し格納する情報格納手段とを備えることを特徴とする。
【０００８】
本願第１発明においては、読み取り装置とサーバとの両方に接続された印刷装置が操作端末と同等の機能を果たす。すなわち、予め、無線タグ回路素子のＩＣ回路部に、所定の動作機器の処理に係わる処理データと、処理データの格納先情報とが記憶されている。読み取り装置の情報取得手段が、その無線タグ回路素子の情報を装置アンテナを介し取得すると、その取得された情報は情報転送手段によって印刷装置へと転送される。印刷装置では、その転送された情報を情報入力手段で入力した後、情報解析手段が、その入力した情報を解析（解釈）して上記処理データ及び格納先情報を取得する。そして、取得した処理データをサーバへと出力し、当該格納先情報の表すサーバの格納アドレスに格納する。これにより、サーバは、その格納アドレスに格納された処理データを用いて、対応する動作機器に対し、当該処理データに対応する処理を指示することが可能となる。
【０００９】
この結果、操作者は、操作端末等を用いた煩雑な操作等を特に行わなくても、読み取り装置において無線タグの読み取りを行わせるだけで、所定の動作機器に対し所定の動作を行わせることができる。したがって、操作者の労力負担を軽減でき、利便性を向上することができる。また、印刷装置がネットワークを介しサーバと接続されていれば、読み取り装置は単にＵＳＢケーブル等で印刷装置に対し接続されていれば足り、読み取り装置自体がネットワークを介し操作端末に接続される必要がなくなるので、システム構成を簡素化することができる。
【００１０】
第２発明は、上記第１発明において、前記サーバは、前記格納アドレスに格納された前記処理データに基づき、対応する前記動作機器に対し当該処理データに対応した動作を行うように動作指示信号を出力する指示信号出力手段を有することを特徴とする。
【００１１】
サーバの指示信号出力手段が、格納アドレスに格納された処理データを用いて、対応する動作機器に対し動作指示信号を出力することにより、操作者は、無線タグの読み取りを行わせるだけで所定の動作機器に対し所定の動作を行わせることができる。したがって、操作者の労力負担を軽減でき、利便性を向上することができる。
【００１２】
第３発明は、上記第２発明において、前記サーバの前記指示信号出力手段は、前記動作指示信号として、前記動作機器としての前記印刷装置に対し、前記処理データにより指定される所定の印刷データを取得し対応する印刷を行わせる印刷指示信号を出力することを特徴とする。
【００１３】
これにより、操作者は、無線タグの読み取りを行わせるだけで、印刷装置で自動的に所定の印刷データを印刷することができる。したがって、通常例えば必要となる操作端末の立ち上げ、データベース等の印刷データを含むフォルダ等の検索、印刷データを開くアプリケーションの起動操作、印刷装置を指定しての印刷指示操作、等の煩雑な操作が不要となり、操作者の利便性を向上することができる。
【００１４】
第４発明は、上記第３発明において、前記サーバの前記指示信号出力手段は、前記印刷装置が印刷すべき印刷部数を含む前記印刷指示信号を出力することを特徴とする。
【００１５】
これにより、操作者が無線タグの読み取りにより印刷を実行させるとき、その印刷枚数も併せて指定することができるので、さらに利便性を向上することができる。
【００１６】
第５発明は、上記第２発明において、前記サーバの前記指示信号出力手段は、前記動作指示信号として、前記動作機器としての前記印刷装置に対し、前記処理データにより指定される所定の印刷テンプレートデータの取得を行わせるテンプレート取得指示信号を出力することを特徴とする。
【００１７】
これにより、操作者は、無線タグの読み取りを行わせるだけで、自動的に所定の印刷テンプレートデータを印刷装置に取得させることができる。したがって、通常例えば必要となる操作端末の立ち上げ、印刷テンプレートデータを含むデータベースやフォルダあるいは外部サイトの検索、印刷装置を指定しての印刷テンプレートのコピー操作、等の煩雑な操作が不要となり、操作者の利便性を向上することができる。
【００１８】
第６発明は、上記第２発明において、前記印刷装置は、処理対象となる紙文書を光学的に読み取り、対応するイメージデータを生成する光学読み取り手段を備えており、前記サーバの前記指示信号出力手段は、前記動作指示信号として、前記動作機器としての前記印刷装置に対し、前記光学読み取り手段で所定の文書に対する前記読み取りを行わせるスキャン指示信号を出力することを特徴とする。
【００１９】
これにより、操作者は、無線タグの読み取りを行わせるだけで、印刷装置の光学読み取り手段で自動的に所定の紙文書の光学読み取り（スキャン）を実行することができる。したがって、紙文書を光学読み取り手段に設置した後に通常必要となる、操作端末の立ち上げ、印刷装置において光学読み取りを行わせるためのアプリケーションの起動操作、等の煩雑な操作が不要となり、操作者の利便性を向上することができる。
【００２０】
第７発明は、上記第２発明において、前記印刷装置は、処理対象となる紙文書を光学的に読み取り、対応する電送データを送信するＦＡＸ処理手段を備えており、前記サーバの前記指示信号出力手段は、前記動作指示信号として、前記動作機器としての前記印刷装置に対し、前記ＦＡＸ処理手段で所定の文書に対する前記読み取り及び前記電送データの送信を行わせる、ＦＡＸ指示信号を出力することを特徴とする。
【００２１】
これにより、操作者は、無線タグの読み取りを行わせるだけで、印刷装置のＦＡＸ処理手段で自動的に所定の紙文書のＦＡＸ送信を実行することができる。したがって、紙文書のＦＡＸ時に紙文書を設置した後に通常必要となる、ＦＡＸモードの選択や送信ボタンの操作等の煩雑な操作が不要となり、操作者の利便性を向上することができる。
【００２２】
第８発明は、上記第７発明において、前記サーバの前記指示信号出力手段は、前記印刷装置の前記ＦＡＸ処理手段が送信すべき送信先情報を含む前記ＦＡＸ指示信号を出力することを特徴とする。
【００２３】
これにより、操作者が無線タグの読み取りによりＦＡＸを実行させるとき、その送信先も併せて指定することができるので、さらに利便性を向上することができる。
【００２４】
第９発明は、上記第７又は第８発明において、前記印刷装置は、前記ＦＡＸ処理手段による電送データの送信先又は通話対象となる電話番号を記憶可能な番号記憶手段を備えており、前記サーバの前記指示信号出力手段は、前記動作指示信号として、前記動作機器としての前記印刷装置に対し、前記処理データにより指定される所定の電話番号データを取得し、前記番号記憶手段に格納する記憶指示信号を出力することを特徴とする。
【００２５】
これにより、操作者は、無線タグの読み取りを行わせるだけで、ＦＡＸの送信先や通話先の相手方の電話番号を自動的に番号記憶手段に記憶させることができる。したがって、例えば相手方の氏名・名称のテキストや電話番号を手操作で入力するといった面倒さがなくなり、操作者の利便性を向上することができる。
【００２６】
第１０発明は、上記第２発明において、前記サーバの前記指示信号出力手段は、前記動作指示信号として、前記動作機器としての前記印刷装置に対し、前記処理データにより指定される、当該印刷装置に係わる最新のファームウェアデータを取得して更新する更新指示信号を出力することを特徴とする。
【００２７】
これにより、操作者は、無線タグの読み取りを行わせるだけで、自動的に所定のファームウェアの最新バージョンを印刷装置に取り込んで更新することができる。したがって、通常例えば必要となる操作端末の立ち上げ、ファームウェアデータを含むデータベースやフォルダあるいは外部サイトの検索、印刷装置を指定してのファームウェアデータのダウンロードやコピー操作、等の煩雑な操作が不要となり、操作者の利便性を向上することができる。
【発明の効果】
【００２８】
本発明によれば、操作端末等を用いた煩雑な操作等を特に行わなくても、読み取り装置において無線タグの読み取りを行わせるだけで、所定の動作機器に対し所定の動作を行わせることができる。また、読み取り装置自体がネットワークを介し操作端末に接続される必要がなくなり、システム構成を簡素化することができる。
【発明を実施するための最良の形態】
【００２９】
以下、本発明の一実施の形態を図面を参照しつつ説明する。
【００３０】
図１は、本実施形態の情報処理システムの全体構成を表すシステム構成図である。
【００３１】
図１において、情報処理システムＲＳは、印刷物の印刷やその他の機能（例えばコピー機能等）を複合的に備える複合機（動作機器、印刷装置）１と、この複合機１と例えばＵＳＢケーブルなどの接続手段１０を介して接続され、情報を記憶するＩＣ回路部１５０とこのＩＣ回路部１５０に接続されるアンテナ１５１とを備えた無線タグ回路素子Ｔｏ（後述の図４参照）を有する無線タグＴからタグ情報を読み取るための無線タグ通信装置（読み取り装置）２と、上記複合機１と有線あるいは無線によるネットワーク回線ＮＷを介して接続されるサーバ３とを有している。
【００３２】
上記複合機１は、この例では、被印刷物（Ａ４用紙等）に印刷対象である印刷データの印刷を行って印刷物を作成するプリンタ機能と、既に印刷済みの印刷物から光学的にその印刷内容を読み取って他の被印刷物に複写印刷するコピー機能と、同じく印刷物から光学的にその印刷内容を読み取ってデータ化するスキャナ機能と、同じく印刷物から光学的に読み取った印刷内容をデータ化し一般電話回線１１を介して送信（又は受信）するＦＡＸ機能とを兼ね備えている。なおこれら全部を兼ね備えなくてもよく、例えばＦＡＸ機能は備えなくてもよい。あるいは、プリンタ機能を単独で備える通常のプリンタであってもよい。
【００３３】
図２は、上記情報処理システムＲＳを構成する複合機１、無線タグ通信装置２、及びサーバ３の詳細機能を表す機能ブロック図である。
【００３４】
この図２において、複合機１は、ＣＰＵ（中央演算装置）１０１と、上記サーバ３との間でネットワーク回線ＮＷを介して行われる通信の制御を行うネットワーク通信制御部１０２と、例えばＲＡＭやＲＯＭ等からなるメモリ１０３と、印刷物（紙文書、文書）の印刷内容を光学的に読み取ってイメージデータにデータ化するスキャナ（光学読み取り手段）１０４と、他のＦＡＸ機能を有する機器と一般電話回線１１を介して行われるデータ（電送データ）の送受の制御を行うＦＡＸ通信制御部（ＦＡＸ処理手段）１０５と、被印刷物に印刷対象である印刷データの印刷を行って印刷物を作成する印刷部１０６と、上記無線タグ通信装置２との間でこの例のＵＳＢ規格による通信の制御を行う外部機器インターフェース１０７とを有する。
【００３５】
ＣＰＵ１０１は、ＲＡＭの一時記憶機能を利用しつつＲＯＭに予め記憶されたプログラムに従って信号処理を行い、それによって無線タグ通信装置２及びサーバ３との間で各種の指示信号・情報信号の送受を行うようになっている。なお特に詳しく図示していないが、メモリ１０３が有する上記ＲＯＭは例えばフラッシュメモリなどの不揮発性記憶装置からなっており、このＲＯＭに予め記憶されているプログラム（以下、ファームウェアという）は所定の制御により書き換えて更新（以下、アップデートという）することが可能となっている。
【００３６】
また、ＦＡＸ通信制御部１０５は、指定された電話番号又はメモリに記憶（登録）されている電話番号を選択して通信相手を呼び出すことができる。
【００３７】
無線タグ通信装置２は、情報を記憶するＩＣ回路部１５０及び情報の送受信を行うタグアンテナ１５１を備えた複数の無線タグ回路素子Ｔｏに対し、情報の読み取りが可能ないわゆるリーダである。
【００３８】
この無線タグ通信装置２は、通信範囲（図示せず）を形成してその中に存在する無線タグ回路素子Ｔｏとの間で無線通信を行う通信アンテナ（装置アンテナ）２０１と、この通信アンテナ２０１を介し上記無線タグ回路素子ＴｏのＩＣ回路部１５０へ無線通信によりアクセスするとともに、その無線タグ回路素子Ｔｏから読み出された信号を処理する高周波回路（情報取得手段）２０２と、上記複合機１との間でこの例のＵＳＢ規格による通信の制御を行う外部機器インターフェース（情報転送手段）２０３とを有している。上記高周波回路２０２と複合機１のＣＰＵ１０１とは、外部機器インターフェース１０７，２０３を介して情報の送受信が可能となっている。
【００３９】
サーバ３は、ＣＰＵ３０１と、上記と同様のメモリ３０２と、上記複合機１との間でネットワーク回線ＮＷを介して行われる通信の制御を行うネットワーク通信制御部３０３と、ハードディスク装置からなる大容量記憶装置３０４とを有している。
【００４０】
図３に、上記無線タグ通信装置２の高周波回路２０２の詳細構成を示す。
【００４１】
この図３において、高周波回路２０２は、上記通信アンテナ２０１を介し上記無線タグＴの無線タグ回路素子ＴｏのＩＣ回路部１５０の情報へアクセスするものである。この高周波回路２０２には、複合機１のＣＰＵ１０１により生成される、無線タグＴの無線タグ回路素子ＴｏのＩＣ回路部１５０から読み出された信号を処理して情報を読み出すための各種コマンドが、外部機器インターフェース１０７，２０３を介して入力される。なお、煩雑防止のため図３では外部機器通信インターフェース１０７，２０３の図示を省略している。
【００４２】
高周波回路２０２は、通信アンテナ２０１を介し無線タグＴの無線タグ回路素子Ｔｏに対して信号を送信する送信部１４２と、通信アンテナ２０１により受信された無線タグ回路素子Ｔｏからの応答波を入力する受信部１４３と、送受分離器１４４とから構成される。
【００４３】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、ＣＰＵ２０３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記ＣＰＵ１０１から供給される信号に基づいて上記発生させられた搬送波を変調（この例ではＣＰＵ１０１からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例ではＣＰＵ１０１からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介し通信アンテナ２０１に伝達されて無線タグ回路素子ＴｏのＩＣ回路部１５０に供給される。なお、質問波は上記のように変調した信号（変調波）に限られず、単なる搬送波のみの場合もある。
【００４４】
受信部１４３は、通信アンテナ２０１で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記通信アンテナ２０１で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記ＣＰＵ２０３に入力されて処理される。
【００４５】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」がＣＰＵ１０１に入力される。これにより、無線タグ通信装置２では、無線タグ回路素子Ｔｏとの通信時における当該無線タグ回路素子Ｔｏからの信号の受信強度を検出することが可能となっている。
【００４６】
図４に、上記無線タグＴに備えられる無線タグ回路素子Ｔｏの機能的構成の一例を示す。
【００４７】
この図４において、無線タグ回路素子Ｔｏは、上述したように無線タグ通信装置２の通信アンテナ１０１と非接触で信号の送受信を行う上記タグアンテナ１５１と、このタグアンテナ１５１に接続された上記ＩＣ回路部１５０とを有している。
【００４８】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００４９】
変復調部１５６は、タグアンテナ１５１により受信された上記無線タグ通信装置２の通信アンテナ１０１からの質問波の復調を行い、また、上記制御部１５７からの返信信号を変調し、タグアンテナ１５１より応答波（タグＩＤを含む信号）として送信する。
【００５０】
クロック抽出部１５４は受信した信号からクロック成分を抽出し、当該クロック成分の周波数に対応したクロックを制御部１５７に供給する。
【００５１】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５２】
図５に、上記無線タグ回路素子ＴｏのＩＣ回路部１５０のメモリ部１５５の記憶内容の一例を概念的に示す。
【００５３】
図５において、メモリ部１５５には、大別して格納先情報と処理データとが記憶されている。格納先情報は、無線タグ回路素子Ｔｏから読み取らせた処理データを格納させる場所を指定する情報であり、この例では詳細にサーバ３の個体を特定するＩＰアドレス（例えばＬＡＮにおけるプライベートアドレスなど）と、当該サーバ３の記憶装置（この例では大容量記憶装置３０４内に置いて処理データを格納させる格納アドレスとで構成されている。
【００５４】
処理データは、複合機１に行わせる処理の内容に関する情報であり、この例では詳細に複合機１に行わせる処理の具体的な指示内容を表す処理コマンドと、この処理コマンドにより複合機１に処理させる対象のデータである対象データとで構成されている。
【００５５】
図６は、本実施形態の情報処理システムＲＳにおけるタグ情報の流れの一例を説明する概念図である。なお図中には本説明に関係する機能ブロックのみを示し、他の機能ブロックについては適宜図示を省略している（後述の図７においても同様）。
【００５６】
この図６で示す例において、無線タグＴが有する無線タグ回路素子Ｔｏのメモリ部１５５には、ＬＡＮネットワークにおける１９２．１６８．１．１のプライベートアドレスで割り当てられているサーバ３のＩＰアドレスと、当該サーバ３の大容量記憶装置３０４におけるＡ０００Ｈ（１６進数表記）の格納アドレスとが、格納先情報として記憶されている。またメモリ部１５５には、上記対象データとしての補充品リストの印刷データと、上記処理コマンドとして当該印刷データを複合機１に印刷（プリント）させる印刷指示のコマンドとが、記憶されている。
【００５７】
まず無線タグ通信装置２が、無線タグ回路素子Ｔｏから上記格納先情報と上記処理データを含むタグ情報を読み取り、そのまま複合機１に送信する。このタグ情報を取得した複合機１は、当該タグ情報を解析して上記格納先情報と上記処理データとを抽出する。
【００５８】
そして複合機１は、格納先情報に含まれているＩＰアドレス（１９２．１６８．１．１）に基づき、ネットワーク回線ＮＷ（ＬＡＮネットワーク）に接続している格納先のサーバ３を探索し、格納アドレス（Ａ０００Ｈ）を指定して処理データをネットワーク回線ＮＷを介して送信する。
【００５９】
この処理データを取得したサーバ３は、大容量記憶装置３０４において指定された格納アドレスから始まる記憶領域に処理データを格納する。なおこの格納アドレスから始める記憶領域は、例えば、予めサーバ３において処理データを格納するために専用に確保された記憶領域となっている。またこの処理データの格納については、例えば、図示するように最初に処理コマンドを格納し、次に対象データを格納するといった所定の順番で記憶する。このようにして、無線タグＴに記憶されている処理データが、格納先情報に基づく特定のサーバ３の特定の記憶領域に格納記憶される。
【００６０】
図７は、本実施形態の情報処理システムＲＳにおける指示信号の流れの一例を説明する概念図である。なお図示する例は、上記図６の例に対応する指示信号の流れを示している。
【００６１】
この図７で示す例において、サーバ３は、例えば適宜のタイミングで格納アドレスから始まる記憶領域から処理データを取得する。そして、この取得した処理データに含まれる処理コマンド（この例では、印刷指示）を解釈して複合機１に対する指示信号（動作指示信号）を生成し、また処理データに対象データ（この例では、印刷データである図示する例の補充品リストの内容）も含まれている場合は、生成した指示信号に当該対象データを添付して、ネットワーク回線ＮＷを介し複合機１に送信する。なお、この対象データを含む指示信号は、公知の一般的なジョブの形式で送信することができ、この指示信号の送受に関しては特別な処理を必要としない。
【００６２】
この指示信号を受信した複合機１は、当該指示信号に添付されている対象データ（印刷データ）を使用して指示信号の内容に基づく処理（印刷データの印刷）を行う。なお、指示信号に基づく処理は、公知の一般的なジョブの処理動作を行うだけでよく、この指示信号の処理に関しては特別な処理を必要としない。このようにして、サーバ３の特定の記憶領域に格納記憶されている処理データに基づいて複合機１の処理が行われる。
【００６３】
図８は、複合機１のＣＰＵ１０１によって実行される制御手順を表すフローチャートである。なお、複合機１の電源が投入された際にこのフローが開始される。
【００６４】
図８において、まず、ステップＳ５では、外部機器インターフェース１０７，２０３を介して無線タグ通信装置２に制御信号を出力し、通信アンテナ１０１の通信範囲内に存在する無線タグ回路素子Ｔｏからタグ情報を読み取り、さらに接続手段１０を介して入力するタグ情報読み取り処理を行う。
【００６５】
次にステップＳ１０へ移り、上記ステップＳ５のタグ情報読み取り処理によりタグ情報が読み取れたか否かを判定する。タグ情報が読み取れていない場合、判定は満たされず、そのままステップＳ３０へ移る。一方、タグ情報が読み取れている場合、判定が満たされ、ステップＳ１５へ移る。
【００６６】
ステップＳ１５では、上記ステップＳ５のタグ情報読み取り処理で読み取ったタグ情報を解析して格納先情報と処理データとを抽出する。
【００６７】
次にステップＳ２０へ移り、上記ステップＳ１５で抽出した格納先情報に含まれるＩＰアドレスに基づき、ネットワーク回線ＮＷ上で当該ＩＰアドレスが割り当てられているサーバ３を探索する。これによりネットワーク回線ＮＷ上に他の無関係なサーバや汎用コンピュータが接続されていても当該複合機１に指示を出力可能なサーバ３を特定することができる。
【００６８】
次にステップＳ２５へ移り、上記ステップＳ２０で探索したサーバ３に対して格納先情報に含まれている格納アドレス（上記図６、図７に示す例のＡ０００Ｈ）を指定し、処理データを送信する。そしてステップＳ３０へ移る。
【００６９】
ステップＳ３０では、ネットワーク回線ＮＷを介してサーバ３から指示信号を受信したか否かを判定する。指示信号を受信していない場合、判定が満たされず、そのままステップＳ８５へ移る。指示信号を受信している場合、判定が満たされ、ステップＳ３５へ移る。
【００７０】
ステップＳ３５では、上記ステップＳ３０で受信した指示信号の内容が印刷指示であるか否かを判定する。指示信号の内容が印刷指示でない場合、判定は満たされず、そのままステップＳ４５へ移る。一方、指示信号の内容が印刷指示である場合、判定が満たされ、次のステップＳ４０で当該指示信号に添付されている対象データとしての印刷データの内容を印刷部１０６により被印刷物に印刷する（つまりプリントする）。そして、これらの印刷指示に基づく印刷処理は、公知の一般的なジョブの処理動作によって行えばよく、この印刷指示の処理に関しては特別な処理を必要としない。そしてステップＳ４５へ移る。
【００７１】
ステップＳ４５では、上記ステップＳ３０で受信した指示信号の内容がコピー指示であるか否かを判定する。指示信号の内容がコピー指示でない場合、判定は満たされず、そのままステップＳ５５へ移る。一方、指示信号の内容がコピー指示である場合、判定が満たされ、次のステップＳ５０で当該指示信号に添付されている対象データとしてのコピー枚数情報（後述の図１０参照）に従い、その枚数のコピー処理を行う。具体的には、既にスキャナ１０４にセットされている印刷物の印刷内容をスキャナ１０４で光学的に読み取りイメージデータ化し、コピー枚数情報で指定される枚数だけ印刷部１０６により被印刷物に印刷する（つまりコピーする）。なお、このコピー指示に基づくコピー処理は、公知の一般的なジョブの処理動作によって行えばよく、このコピー指示の処理に関しては特別な処理を必要としない。そしてステップＳ５５へ移る。
【００７２】
ステップＳ５５では、上記ステップＳ３０で受信した指示信号の内容がスキャン指示であるか否かを判定する。指示信号の内容がスキャン指示でない場合、判定は満たされず、そのままステップＳ６５へ移る。一方、指示信号の内容がスキャン指示である場合、判定が満たされ、次のステップＳ６０で当該指示信号に添付されている、対象データとしてのイメージデータ格納先情報（後述の図１１参照）に従い、スキャン処理を行う。具体的には、既にスキャナ１０４にセットされている印刷物の印刷内容をスキャナ１０４で光学的に読み取りイメージデータ化し、上記イメージデータ格納先情報で指定する格納先にイメージデータを格納する（つまりスキャンする）。なお、このスキャン指示に基づくスキャン処理は、公知の一般的なジョブの処理動作によって行えばよく、このスキャン指示の処理に関しては特別な処理を必要としない。そしてステップＳ６５へ移る。
【００７３】
ステップＳ６５では、上記ステップＳ３０で受信した指示信号の内容がＦＡＸ指示であるか否かを判定する。指示信号の内容がＦＡＸ指示でない場合、判定は満たされず、そのままステップＳ７５へ移る。一方、指示信号の内容がスキャン指示である場合、判定が満たされ、次のステップＳ７０で当該指示信号に添付されている対象データとしての送信先電話番号情報（後述の図１２参照）に従い、ＦＡＸ処理を行う。具体的には、既にスキャナ１０４にセットされている印刷物の印刷内容をスキャナ１０４で光学的に読み取りイメージデータ化し、上記の送信先電話番号情報で指定する電話番号でＦＡＸ通信制御部１０５により相手のＦＡＸ機器を呼び出してイメージデータ（電送データ）を送信する（つまりＦＡＸする）。なお、このＦＡＸ指示に基づくＦＡＸ処理は、公知の一般的なジョブの処理動作によって行えばよく、このＦＡＸ指示の処理に関しては特別な処理を必要としない。そしてステップＳ７５へ移る。
【００７４】
ステップＳ７５では、上記ステップＳ３０で受信した指示信号の内容がアップデート指示であるか否かを判定する。指示信号の内容がアップデート指示でない場合、判定は満たされず、そのままステップＳ８５へ移る。一方、指示信号の内容がアップデート指示である場合、判定が満たされ、次のステップＳ８０で当該指示信号に添付されている対象データとしての最新ファームウェアデータ格納先情報（後述の図１３参照）に従い、アップデート処理を行う。具体的には、上記最新ファームウェアデータ格納先情報で指定する格納先に格納されている最新ファームウェアデータを取得してメモリ１０３のＲＯＭにその内容を上書きし、プログラムを書き換える（つまりアップデートする）。そしてステップＳ８５へ移る。
【００７５】
ステップＳ８５では、複合機１で所定の終了操作が入力されたか否かを判定し、終了操作されている場合は判定が満たされてこのフローを終了し、終了操作されていない場合は判定が満たされずステップＳ５に戻り同様の手順を繰り返す。
【００７６】
上記のフローによる制御手順を行うことにより、無線タグ回路素子Ｔｏから読み取った格納先情報に基づく格納先（特定のサーバ３の指定記憶領域）に同じく読み取った処理データを格納させることができ、また当該格納先のサーバ３から受信した指示信号に基づく各種の処理（通常のジョブによる処理）を行うことができる。
【００７７】
図９は、サーバ３のＣＰＵ３０１によって実行される制御手順を表すフローチャートである。なお、複合機１の電源が投入された際にこのフローが開始される。
【００７８】
図９において、まず、ステップＳ１０５では、ネットワーク回線ＮＷを介して複合機１から処理データを受信したか否かを判定する。処理データを受信していない場合、判定が満たされず、そのままステップＳ１１５へ移る。処理データを受信している場合、判定が満たされ、ステップＳ１１０へ移る。
【００７９】
ステップＳ１１０では、大容量記憶装置３０４の、上記ステップＳ１０５で受信した処理データの格納アドレスで指定される記憶領域（上記図６、図７に示す例ではＡ０００Ｈ）に、当該処理データを格納する。その後、ステップＳ１１５に移る。
【００８０】
ステップＳ１１５では、大容量記憶装置３０４において、所定の格納アドレス（上記図６、図７に示す例ではＡ０００Ｈ）から始まる記憶領域に処理データが格納されているか否かを判定する。処理データが格納されていない場合、判定は満たされず、そのままステップＳ１７５へ移る。処理データが格納されている場合、判定が満たされ、ステップＳ１２０へ移る。
【００８１】
ステップＳ１２０では、上記ステップＳ１１５で確認した格納アドレスに格納されている処理データの処理コマンドの内容が印刷指示コマンドであるか否かを判定する。処理コマンドの内容が印刷指示コマンドでない場合、判定は満たされず、そのままステップＳ１３０へ移る。一方、処理コマンドの内容が印刷指示コマンドである場合、判定が満たされ、次のステップＳ１２５で当該処理データに含まれている対象データ（印刷データ）の内容を印刷するよう指示する印刷指示信号を生成し、ネットワーク回線ＮＷを介して複合機１に送信する。なお、この対象データを含む印刷指示の送信は、公知の一般的なジョブの形式で送信すればよく、この印刷指示のジョブ送信に関しては特別な処理を必要としない。そしてステップＳ１３０へ移る。
【００８２】
ステップＳ１３０では、上記ステップＳ１１５で確認した格納アドレスに格納されている処理データの処理コマンドの内容がコピー指示コマンドであるか否かを判定する。処理コマンドの内容がコピー指示コマンドでない場合、判定は満たされず、そのままステップＳ１４０へ移る。一方、処理コマンドの内容がコピー指示コマンドである場合、判定が満たされ、次のステップＳ１３５で当該処理データに含まれている対象データ（例えばコピー枚数情報。後述の図１０参照）に従ってコピー処理するように指示するコピー指示信号を生成し、ネットワーク回線ＮＷを介して複合機１に送信する。なお、この対象データを含むコピー指示の送信は、公知の一般的なジョブの形式で送信すればよく、このコピー指示のジョブ送信に関しては特別な処理を必要としない。そしてステップＳ１４０へ移る。
【００８３】
ステップＳ１４０では、上記ステップＳ１１５で確認した格納アドレスに格納されている処理データの処理コマンドの内容がスキャン指示コマンドであるか否かを判定する。処理コマンドの内容がスキャン指示コマンドでない場合、判定は満たされず、そのままステップＳ１５０へ移る。一方、処理コマンドの内容がスキャン指示コマンドである場合、判定が満たされ、次のステップＳ１４５で当該処理データに含まれている対象データ（イメージデータ格納先情報。後述の図１１参照）に従ってスキャン処理するよう指示するスキャン指示信号を生成し、ネットワーク回線ＮＷを介して複合機１に送信する。なお、この対象データを含むスキャン指示の送信は、公知の一般的なジョブの形式で送信すればよく、このスキャン指示のジョブ送信に関しては特別な処理を必要としない。そしてステップＳ１５０へ移る。
【００８４】
ステップＳ１５０では、上記ステップＳ１１５で確認した格納アドレスに格納されている処理データの処理コマンドの内容がＦＡＸ指示コマンドであるか否かを判定する。処理コマンドの内容がＦＡＸ指示コマンドでない場合、判定は満たされず、そのままステップＳ１６０へ移る。一方、処理コマンドの内容がＦＡＸ指示コマンドである場合、判定が満たされ、次のステップＳ１５５で当該処理データに含まれている対象データ（送信先電話番号情報。後述の図１２参照）に従ってＦＡＸ処理するよう指示するＦＡＸ指示信号を生成し、ネットワーク回線ＮＷを介して複合機１に送信する。なお、この対象データを含むＦＡＸ指示の送信は、公知の一般的なジョブの形式で送信すればよく、このＦＡＸ指示のジョブ送信に関しては特別な処理を必要としない。そしてステップＳ１６０へ移る。
【００８５】
ステップＳ１６０では、上記ステップＳ１１５で確認した格納アドレスに格納されている処理データの処理コマンドの内容がアップデート指示コマンドであるか否かを判定する。処理コマンドの内容がアップデート指示コマンドでない場合、判定は満たされず、そのままステップＳ１７０へ移る。一方、処理コマンドの内容がアップデート指示コマンドである場合、判定が満たされ、次のステップＳ１６５で当該処理データに含まれている対象データ（新ファームウェアデータ格納先情報。後述の図１３参照）に従ってアップデート処理するよう指示するアップデート指示信号を生成し、ネットワーク回線ＮＷを介して複合機１に送信する。そしてステップＳ１７０へ移る。
【００８６】
ステップＳ１７０では、上記ステップＳ１１５で確認した格納アドレスに格納されている処理データを消去する。これにより、同じ処理データに対応する処理を重複して繰り返すことを回避する。そして、ステップＳ１７５へ移る。
【００８７】
ステップＳ１７５では、サーバ３において所定の終了操作が入力されたか否かを判定し、終了操作されている場合は判定が満たされてこのフローを終了し、終了されていない場合は判定が満たされずステップＳ１０５に戻り同様の手順を繰り返す。
【００８８】
上記のフローによる制御手順を行うことにより、複合機１から受信した処理データを、同時に指定された格納アドレスに格納することができ、また当該格納アドレスに格納されている処理データに基づく指示信号を複合機１に送信して各種の処理（通常のジョブによる処理）を行わせることができる。
【００８９】
なお、上記図６では、補充品リストからなる印刷データそのものが対象データを構成し、当該印刷データを複合機１に印刷させる印刷指示を処理コマンドとして、無線タグ回路素子Ｔｏに記憶させた例を示したが、印刷データは、このようにして無線タグ回路素子Ｔｏから読み取られたものには限られない。すなわち、無線タグ回路素子Ｔｏの対象データとしてネットワーク上の所定のＩＰアドレス及びその格納アドレス等が指示され、処理コマンドを、当該格納アドレスへのアクセス、当該格納アドレスからの印刷データの取得、及び複合機１への送信と印刷を指示するもので構成してもよい。この場合には、上記図８のフローにおけるステップＳ４０の印刷処理において、対象データに含まれているＩＰアドレスに基づいてネットワーク回線ＮＷ上に接続しているサーバ３又は汎用コンピュータを特定し、その記憶装置において対象データに含まれている格納アドレスから始まる記憶領域に格納されている印刷データを取得し、その印刷データの内容を印刷部１０６により被印刷物に印刷する。また、対象データに印刷部数に関する情報を含めてもよく、この場合にはステップＳ４０の印刷処理において当該印刷部数に関する情報に基づく部数で印刷物を印刷する。
【００９０】
図１０〜図１５は、上記図５に示した無線タグ回路素子Ｔｏのメモリ部１５５の記憶内容の具体例をそれぞれ表す図である。
【００９１】
図１０は、所定のコピー枚数で複合機１にコピーさせる場合の記憶内容を表す図である。つまり、図示するように、コピー指示を処理コマンドとし、所定のコピー枚数に関する情報を対象データとして処理データを構成すればよい。例えば対象データのコピー枚数を１枚、５枚、１０枚と異ならせて記憶させた無線タグＴをそれぞれ用意しておき、コピー対象の印刷物を複合機１のスキャナ１０４にセットした状態で希望するコピー枚数に対応した無線タグＴを無線タグ通信装置２に近づけてタグ情報を読み取らせるよう操作するだけで希望枚数のコピー処理を行うことができる。
【００９２】
図１１は、複合機１でスキャンを行い、サーバ３の大容量記憶装置３０４内に構築されたファイルシステムにおいて希望するフォルダに、当該スキャンしたイメージデータを格納させる場合の記憶内容を表す図である。つまり、図示するように、スキャン指示を処理コマンドとし、所定のフォルダ名に関する情報を対象データとして処理データを構成すればよい。なお、この格納先を示す対象データは、サーバ３と異なる他の汎用コンピュータのＩＰアドレス及びその格納アドレス（又はフォルダ名；いずれにしてもネットワーク回線ＮＷ上でアクセスが許可されているものに限られる）に関する情報で構成してもよい。この場合には、上記図８のフローにおけるステップＳ６０のスキャン処理において、対象データに含まれているＩＰアドレスに基づいてネットワーク回線ＮＷ上に接続している他の汎用コンピュータを特定し、その記憶装置において対象データに含まれている格納アドレスから始まる記憶領域又はフォルダにイメージデータを格納させるようにする。
【００９３】
図１２は、複合機１において所定の電話番号の送信先に対しＦＡＸ送信を行う場合の記憶内容を表す図である。つまり、図示するように、ＦＡＸ指示を処理コマンドとし、所定の送信先の電話番号（送信先情報）に関する情報を対象データとして処理データを構成すればよい。なお、複合機１のメモリ（番号記憶手段）１０３に複数の電話番号が登録されている場合には、対象データの送信先電話番号としてメモリ１０３に登録済みの電話番号を特定する登録番号などを記憶してもよい。この場合には、上記図８のフローにおけるステップＳ７０のＦＡＸ処理において、対象データに含まれている登録番号に基づいて対応する電話番号をメモリ１０３から取得し、その電話番号を利用して通信相手のＦＡＸ機器を呼び出すようにする。
【００９４】
図１３は、所定の格納アドレスに格納されているファームウェアデータで複合機１の作動プログラムをアップデートさせる場合の記憶内容を表す図である。つまり、図示するように、アップデート指示を処理コマンドとし、最新ファームウェアデータが格納されている所定の格納アドレスに関する情報を対象データとして処理データを構成すればよい。なお、このファームウェアデータを格納するサーバ３又は汎用コンピュータは、定期的にインターネットを介して所定のアップデートサイトで更新情報を確認したり、各種のメディアを介して最新のファームウェアデータを格納させておくことが望ましい。また、無線タグ回路素子Ｔｏのメモリ部１５５の記憶容量が十分に大きく余裕がある場合には、ファームウェアデータそのものを対象データとして記憶させてもよく、複合機１は直接この対象データを用いてアップデートすればよい。
【００９５】
以上において、上記図８のフローにおけるステップＳ５の手順が、情報入力手段として機能し、ステップＳ１５の手順が情報解析手段として機能する。また、ステップＳ２５の手順が情報格納手段として機能する。
【００９６】
また、上記図９のフローにおけるステップＳ１２５，Ｓ１３５，Ｓ１４５，Ｓ１５５，Ｓ１６５の手順が、指示信号出力手段として機能する。
【００９７】
以上説明したように、本実施形態においては、無線タグ通信装置２とサーバ３との両方に接続された複合機１が従来技術における操作端末と同等の機能を果たす。すなわち、予め、無線タグ回路素子ＴｏのＩＣ回路部１５０に、当該複合機１の処理に係わる処理データと、処理データの格納先情報とが記憶されている。無線タグ通信装置２の高周波回路２０２が、その無線タグ回路素子Ｔｏの情報を通信アンテナ１０１を介し取得すると、その取得された情報は外部機器インターフェース１０７，２０３を介し複合機１へと転送される。複合機１では、その転送された情報を入力した後、その入力した情報を解析（解釈）して上記処理データ及び格納先情報を取得する（図８のステップＳ１５）。そして、取得した処理データをサーバ３へと出力し、当該格納先情報の表すサーバ３の格納アドレスに格納する（図８のステップＳ２５、図９のステップＳ１１０）。これにより、サーバ３は、その格納アドレスに格納された処理データを用いて、複合機１に対し、当該処理データに対応する処理の指示を行い（図９のステップＳ１２５、ステップＳ１３５、ステップＳ１４５、ステップＳ１５５、ステップＳ１６５）、受信した複合機１が対応する動作を行う（図８のステップＳ４０、ステップＳ５０、ステップＳ６０、ステップＳ７０、ステップＳ８０）。
【００９８】
この結果、操作者は、操作端末等を用いた煩雑な操作等を特に行わなくても、無線タグ通信装置２において無線タグＴの読み取りを行わせるだけで、複合機１に対し所望の動作を行わせることができる。したがって、操作者の労力負担を軽減でき、利便性を向上することができる。また、複合機１がネットワーク回線ＮＷを介しサーバ３と接続されているので、無線タグ通信装置２は単にＵＳＢケーブルなどの接続手段１０で複合機１に対し接続されていれば足り、無線タグ通信装置２自体が（サーバ３への接続のために）ネットワーク回線ＮＷ等に接続される必要がなくなるので、システム構成を簡素化できる。
【００９９】
また、この実施形態では特に、サーバ３が図９のフローのステップＳ１２５において、複合機１に対し、処理データにより指定される所定の印刷データを取得し対応する印刷を行わせる印刷指示を出力する。これにより、操作者は、無線タグＴの読み取りを行わせるだけで、複合機１で自動的に所定の印刷データを印刷することができる。したがって、通常例えば必要となる操作端末の立ち上げ、データベース等の印刷データを含むフォルダ等の検索、印刷データを開くアプリケーションの起動操作、複合機１を指定しての印刷指示操作、等の煩雑な操作が不要となり、操作者の利便性を向上することができる。またこのとき、複合機１が印刷すべき印刷部数を含む上記印刷指示を出力することにより、操作者が無線タグＴの読み取りにより印刷を実行させるとき、その印刷枚数も併せて指定することができるので、さらに利便性を向上することができる。
【０１００】
なお、サーバ３が複合機１に対して出力する指示信号として、処理データにより指定される所定の印刷テンプレートデータの取得を行わせるテンプレート取得指示（テンプレート取得指示信号）を出力するようにしてもよい。ここで印刷テンプレートデータとは、例えば、印刷データを印刷させる態様に関する情報であり、例えば印刷文字のポイント（大きさ）、フォントスタイル、又は、罫線や飾り図柄などの定型的な図形データなどに関する情報である。
【０１０１】
このように複合機１に印刷テンプレートデータの取得を行わせる場合には、無線タグ回路素子Ｔｏのメモリ部１５５に、図１４に示すような構成のタグ情報を記憶させて用いればよい。つまり、図示するように、テンプレート取得指示を処理コマンドとし、取得対象の印刷テンプレートデータが格納されている所定の格納アドレスに関する情報を対象データとして処理データを構成すればよい。
【０１０２】
そしてサーバ３が実行する上記図９のフローにおいて、ステップＳ１２０の判定手順及びステップＳ１２５の指示出力手順とそれぞれ同等の行程によりテンプレート取得指示信号を出力できるようにし、複合機１が実行する図８のフローにおいてステップＳ３５の判定手順及びステップＳ４０の処理手順と同等の行程により印刷テンプレートデータの取得処理を行えばよい。印刷テンプレートデータの取得処理では、対象データで指定する格納先に格納されている印刷テンプレートデータを取得する。
【０１０３】
これにより、操作者は、無線タグＴの読み取りを行わせるだけで、自動的に所定の印刷テンプレートデータを複合機１に取得させることができる。したがって、通常例えば必要となる操作端末の立ち上げ、印刷テンプレートデータを含むデータベースやフォルダあるいは外部サイトの検索、複合機１を指定しての印刷テンプレートのコピー操作、等の煩雑な操作が不要となり、操作者の利便性を向上することができる。なお、無線タグ回路素子Ｔｏのメモリ部１５５の記憶容量が十分に大きく余裕がある場合には、印刷テンプレートデータそのものを対象データとして記憶させてもよく、複合機１は直接この対象データを印刷テンプレートデータとして取得すればよい。
【０１０４】
また、この実施形態では特に、サーバ３が図９のフローのステップＳ１４５において、複合機１に対し、スキャナ１０４で所定の文書に対する読み取りを行わせるスキャン指示を出力する。これにより、操作者は、無線タグＴの読み取りを行わせるだけで、複合機１のスキャナ１０４で自動的に所定の印刷物の光学読み取り（スキャン）を実行することができる。したがって、印刷物をスキャナ１０４に設置した後に通常必要となる、操作端末の立ち上げ、複合機１において光学読み取りを行わせるためのアプリケーションの起動操作、等の煩雑な操作が不要となり、操作者の利便性を向上することができる。
【０１０５】
また、この実施形態では特に、サーバ３が図９のフローのステップＳ１５５の手順において、複合機１に対し、ＦＡＸ通信制御部１０５で所定の文書に対する読み取り及び電送データの送信を行わせる、ＦＡＸ指示を出力する。これにより、操作者は、無線タグＴの読み取りを行わせるだけで、複合機１のＦＡＸ通信制御部１０５で自動的に所定の印刷物のＦＡＸ送信を実行することができる。したがって、印刷物のＦＡＸ時に印刷物を設置した後に通常必要となる、ＦＡＸモードの選択や送信ボタンの操作等の煩雑な操作が不要となり、操作者の利便性を向上することができる。またこのとき、ＦＡＸ通信制御部１０５が送信すべき送信電話番号を含む上記ＦＡＸ指示を出力する。これにより、操作者が無線タグＴの読み取りによりＦＡＸを実行させるとき、その送信先も併せて指定することができるので、さらに利便性を向上することができる。
【０１０６】
なお、サーバ３が複合機１に対して出力する指示信号として、処理データにより指定される所定の電話番号データを取得し、メモリ１０３に格納する電話番号記憶指示（記憶指示信号）を出力するようにしてもよい。
【０１０７】
このように複合機１に電話番号の取得と記憶を行わせる場合には、無線タグ回路素子Ｔｏのメモリ部１５５に、図１５に示すような構成のタグ情報を記憶させて用いればよい。つまり、図示するように、電話番号取得指示を処理コマンドとし、取得対象の電話番号データを対象データとして処理データを構成すればよい。
【０１０８】
そしてサーバ３が実行する上記図９のフローにおいて、ステップＳ１２０の判定手順及びステップＳ１２５の指示出力手順とそれぞれ同等の行程により電話番号取得指示信号を出力できるようにし、複合機１が実行する図８のフローにおいてステップＳ３５の判定手順及びステップＳ４０の処理手順と同等の行程により電話番号データを取得処理を行えばよい。電話番号データ取得処理では、電話番号取得指示に添付されている対象データとしての電話番号データをそのまま取得し、メモリ１０３に格納する。
【０１０９】
これにより、操作者は、無線タグＴの読み取りを行わせるだけで、ＦＡＸの送信先や通話先の相手方の電話番号を自動的にメモリ１０３に記憶させることができる。したがって、例えば相手方の氏名・名称のテキストや電話番号を手操作で入力するといった面倒さがなくなり、操作者の利便性を向上することができる。
【０１１０】
また、この実施形態では特に、サーバ３が図９のフローのステップＳ１６５において、複合機１に対し、処理データにより指定される、複合機１に係わる最新のファームウェアデータを取得して更新するアップデート指示を出力する。これにより、操作者は、無線タグＴの読み取りを行わせるだけで、自動的に所定のファームウェアの最新バージョンを複合機１に取り込んでアップデートすることができる。したがって、通常例えば必要となる操作端末の立ち上げ、ファームウェアデータを含むデータベースやフォルダあるいは外部サイトの検索、複合機１を指定してのファームウェアデータのダウンロードやコピー操作、等の煩雑な操作が不要となり、操作者の利便性を向上することができる。
【０１１１】
なお、処理データは複数の処理コマンドや対象データで構成されてもよく、その場合には複合機１がそれぞれの処理コマンドに対応する処理を複合的に実行することができる。例えば図１６に示すように、無線タグ回路素子Ｔｏに記憶させる処理データにおいて、図６に示したような印刷指示の処理コマンドと印刷データの対象データを含めるとともに、図１１に示したようなスキャン指示の処理コマンドと格納フォルダ名の対象データを合わせて含めてもよい。この場合には、複合機１は印刷データを印刷して印刷物を作成した後に、さらにその印刷物の印刷内容をスキャンしてイメージデータを格納フォルダ名のフォルダに格納することができる。このように複数の処理を複合的に実行させる場合には、必要に応じて処理コマンドと対応する対象データの優先順位を指定しておくことが好ましい。
【０１１２】
また、例えば図１７に示すように、無線タグ回路素子Ｔｏに記憶させる処理データにおいて、図１５に示したような電話番号取得指示の処理コマンドと電話番号データの対象データを含めるとともに、図１２に示したようなＦＡＸ指示の処理コマンドと送信先電話番号の対象データを合わせて含めてもよい。この場合には、複合機１は電話番号データを取得してメモリ１０３に記憶した後に、さらにその新規に記憶した電話番号データに基づいて通信相手のＦＡＸ機器を呼び出し、電送データを送信することができる。
【０１１３】
また、例えば図１８に示すように、タグ情報の処理データにおいて、図１４に示したようなテンプレート取得指示の処理コマンドとテンプレートデータ格納アドレスの対象データを含めるとともに、図６に示したような印刷指示の処理コマンドと印刷データの対象データを合わせて含めてもよい。この場合には、複合機１はテンプレートデータ格納アドレスに格納されている印刷テンプレートデータを取得した後に、さらにその印刷テンプレートデータを適用して印刷データを印刷することができる。
【０１１４】
なお、以上において、図３、図４、図６、図７等の各図中に示す矢印は信号の流れの一例を示すものであり、信号の流れ方向を限定するものではない。
【０１１５】
また、図８、図９等に示すフローチャートは本発明を上記フローに示す手順に限定するものではなく、発明の趣旨及び技術的思想を逸脱しない範囲内で手順の追加・削除又は順番の変更等をしてもよい。
【０１１６】
また、以上既に述べた以外にも、上記実施形態や各変形例による手法を適宜組み合わせて利用しても良い。
【０１１７】
その他、一々例示はしないが、本発明は、その趣旨を逸脱しない範囲内において、種々の変更が加えられて実施されるものである。
【図面の簡単な説明】
【０１１８】
【図１】本発明の一実施形態の情報処理システムの全体構成を表すシステム構成図である。
【図２】情報処理システムを構成する複合機、無線タグ通信装置、及びサーバの詳細機能を表す機能ブロック図である。
【図３】無線タグ通信装置の高周波回路の詳細構成を示す。
【図４】無線タグに備えられる無線タグ回路素子の機能的構成を表すブロック図である。
【図５】無線タグ回路素子のＩＣ回路部のメモリ部の記憶内容の一例を概念的に示す図である。
【図６】情報処理システムにおけるタグ情報の流れの一例を説明する概念図である。
【図７】情報処理システムにおける指示信号の流れの一例を説明する概念図である。
【図８】複合機のＣＰＵによって実行される制御手順を表すフローチャートである。
【図９】サーバのＣＰＵによって実行される制御手順を表すフローチャートである。
【図１０】コピー指示に用いる無線タグ回路素子のＩＣ回路部のメモリ部の記憶内容の一例を概念的に示す図である。
【図１１】スキャン指示に用いる無線タグ回路素子のＩＣ回路部のメモリ部の記憶内容の一例を概念的に示す図である。
【図１２】ＦＡＸ指示に用いる無線タグ回路素子のＩＣ回路部のメモリ部の記憶内容の一例を概念的に示す図である。
【図１３】アップデート指示に用いる無線タグ回路素子のＩＣ回路部のメモリ部の記憶内容の一例を概念的に示す図である。
【図１４】ＦＡＸ電話番号の追加登録指示に用いる無線タグ回路素子のＩＣ回路部のメモリ部の記憶内容の一例を概念的に示す図である。
【図１５】テンプレート取得指示に用いる無線タグ回路素子のＩＣ回路部のメモリ部の記憶内容の一例を概念的に示す図である。
【図１６】印刷指示とスキャン指示の複合指示に用いる無線タグ回路素子のＩＣ回路部のメモリ部の記憶内容の一例を概念的に示す図である。
【図１７】ＦＡＸ電話番号の追加登録指示とＦＡＸ指示の複合指示に用いる無線タグ回路素子のＩＣ回路部のメモリ部の記憶内容の一例を概念的に示す図である。
【図１８】テンプレート取得指示と印刷指示の複合指示に用いる無線タグ回路素子のＩＣ回路部のメモリ部の記憶内容の一例を概念的に示す図である。
【符号の説明】
【０１１９】
１                複合機（動作機器、印刷装置）
２                無線タグ通信装置（読み取り装置）
３                サーバ
１０１            ＣＰＵ
１０２            ネットワーク通信制御部
１０３            メモリ
１０４            スキャナ（光学読み取り手段）
１０５            ＦＡＸ通信制御部（ＦＡＸ処理手段）
１０６            印刷部
１０７            外部機器インターフェース
２０１            通信アンテナ（装置アンテナ）
２０２            高周波回路（情報取得手段）
２０３            外部機器インターフェース（情報転送手段）
３０１            ＣＰＵ
３０２            メモリ
３０３            ネットワーク通信制御部
３０４            大容量記憶装置
１４２            送信部
１４３            受信部
１５０            ＩＣ回路部
１５１            タグアンテナ
ＮＷ              ネットワーク回線
ＲＳ              情報処理システム
Ｔ                無線タグ
Ｔｏ              無線タグ回路素子
【図１】
2010134503.tif 000003
【図２】
2010134503.tif 000004
【図３】
2010134503.tif 000005
【図４】
2010134503.tif 000006
【図５】
2010134503.tif 000007
【図６】
2010134503.tif 000008
【図７】
2010134503.tif 000009
【図８】
2010134503.tif 000010
【図９】
2010134503.tif 000011
【図１０】
2010134503.tif 000012
【図１１】
2010134503.tif 000013
【図１２】
2010134503.tif 000014
【図１３】
2010134503.tif 000015
【図１４】
2010134503.tif 000016
【図１５】
2010134503.tif 000017
【図１６】
2010134503.tif 000018
【図１７】
2010134503.tif 000019
【図１８】
2010134503.tif 000020